(57)【要約】      （修正有）【課題】マンションや事務所ビルなどで、転居、移転時の郵便受けポスト設備の設備維持管理をスムーズに行う郵便受けポストカバーを提供する。【解決手段】郵便受けポスト１０の内側に取り付ける投入口プレート固定金具５と、郵便受けポスト１０の外側に取り付ける投入口プレート固定接続金具３からなる。投入口プレート固定金具５と投入口プレート固定接続金具３とをプレート接続ビス７で接続し、さらに、投入口プレート固定接続金具３に接続されたプレート接続ビス７と、投入口プレート固定金具５に接続された投入口プレート固定調整ビス６とにより、投入口プレート１２を固定する。【選択図】図９
0003178299.tif 000002
【実用新案登録請求の範囲】
【請求項１】
郵便受けポストを一時的に、使用出来ないように投函口の投入口プレートを固定し、投函出来ない構造にする。
【請求項２】
入居、入所前に固定カバーは容易に、外部からは取り外しが出来ない構造にする。
【請求項３】
長期不在や転居、移転したことを、それぞれの文字等で表示する構造にする。
【考案の詳細な説明】
【技術分野】
【０００１】  本考案は、マンションや事務所ビルなどの、郵便受けポストの使用制限と建築設備、美観と維持管理の装置に関するものです。
【背景技術】
【０００２】  従来の郵便受けポストは、マンションや事務所ビルの契約解除により転居、移転後、そのままにして置くか、簡単な張り紙を掲示するか、ガムテープで前面を貼り付けるなどが一般的な処理です。
転居、移転後の郵便受けポスト投函口を、使用制限しないと、業界のチラシ、一般郵便物、ダイレクトメール等のものが洪水のように投函続き、満杯状態になります。
使用できないよう、ガムテープの貼り付けは、簡便な方法ですが、長期的に貼り付けて置くと、テープが破れたり、剥がれたりで見苦しい、新規に入居、入所下見で、建築設備、美観のイメージにマイナス点大きく影響します。
このとき、投函口の入り口にプレートを設けて、接続金具により差し込み、固定する方法が知られている。（特許文献１参照）
【特許文献１】特開  ２０１１−２５５１３３
【考案の開示】
【考案が解決しようとする課題】
【０００３】（イ）マンションや事務所ビルから転居、移転後に、郵便受けポスト投函口を、使用出来ないようにすること。
（ロ）郵便受けポスト使用者は、転居、移転したことがわかりやすいこと。
（ハ）新規に入居、入所した場合、郵便受けポストを即、使用出きること。
（ニ）建築設備、美観に対応すること。
（ホ）第３者が郵便受けポストを簡単に使用出来ないこと。
本考案は、これらの問題解決するためになされたものである。
【課題を解決するための手段】
【０００４】（イ）郵便受けポストを一時的、長期的に使用出来ないよう投函口の投入口プレートに、固定接続金具を挿入、接続金具で表示プレートと連結固定投函出来ない構造にする。
（ロ）入居、入所前に固定カバーは容易に、外部からは取り外しが出来ないことと、入居、入所時には、即使用出来る構造にする
（ハ）建築美観を重視、他の郵便受けポストと違和感もなく、材質を長期的に繰り返し使用出来るように、変色しない構造にする。
（ニ）転居、移転したことを文字等で表示する構造にする。
【考案の効果】
【０００５】  本考案は、不特定多数の使用する住居、事務所などの出入口に設けてある郵便受けポストで、２４時間使用する持ち主の顔となり、重要な設備です。
住居、事務所として使用しないときは、制限を設けることにより、尋ねて来た方や、郵便配達人が見て転居、移転していることが一目でわかり、売り込み用ダイレクトメールや広告チラシ等は投函出来なく、次の入居、入所がスムーズに出来、郵便受けポスト全体の建築設備、美観が保たれ全体の資産価値にプラスに結びつけることが大きい。
【考案を実施するための最良の形態】
【０００６】  以下、本考案の実態を説明する。
（イ）郵便受けポスト（１０）を一時的、長期的に使用出来ないように投函口（１１）の投入口プレート（１２）に、投入口固定金具（５）を挿入、表示プレート（１）と連結固定、投函出来ない構造にする。
（ロ）投函出来ない構造とするには、大きな要素として、１機種のポストカバーだけで、対応するのに、各郵便受けポスト（１０）には建物の関係と製品別に横型、縦型設置、投函方式には、前入後出タイプ、前入前出タイプと投函口（１１）の幅や厚さにそれぞれ大きな相違があります。
１機種で、取り付け対応には、投入口プレート固定金具（５）と投入口プレート挟み込固定金具（８）の役割が大きく、投函口（１１）の厚さには、それぞれの固定金具（５）、（８）に投入口プレート接続金具（３ａ）を投函口（１１）に合わせ回転、投入口プレート固定接続金具定位置（３）に調整、狭いところでも、挿入出来るので、上記の大きな相違構造に対する取り付けが容易に出来る。
（ハ）入居、入所前に表示プレート（１）、は容易に、外部からは取り外しが出来ないことと、入居、入所時には、管理者により取り外し、即使用出来る構造にする。
（ニ）建築設備、美観を重視、他の郵便受けポスト（１０）と違和感もなく、材質を長期的に繰り返し使用出来るように、変色しない構造にする。
（ホ）転居、移転したことを、表示プレート文字内容シール（２）で表示する構造にする。
本考案は以上の構成よりなる。
本考案を使用する場合は、
（イ）使用されていない郵便受けポスト（１０）を一時的、長期的使用しない間、郵便物、チラシ等が投函出来ないように、（図９）使用例の前入後出の投函口（１１）、の構造の郵便受けポスト（１０）の使用方法は、後出（１５）側から、投入口プレート固定金具（５）を手（１４）でささえ、投入口プレート（１２）に挿入、このとき投入口プレート（１２）の板厚に投入口プレート固定調整ネジ（６）を予め合わせておき、投入口プレート接続金具（３ａ）も投函口（１１）の方向に合わせ回転して調整しておき、仮固定できたら、投入口プレート接続金具定位置（３）に戻し、投函口（１１）側に回り、表示プレート（１）を接続金具止めビス（４）をドライバー（１３）により固定する。
（ロ）投函口（１１）側からも同様の取り付け使用は同じく出来ます。
（ハ）（図１０）の挟み込固定金具（８）の取り付けは、投函口（１１）側から取り付け例を示しております。
（ニ）建築設備管理者が入居、入所や転居、移転の時にポストカバー、の取り外し、取り付けを繰り返し使用するように、長期に耐える材質とし、用途に合わせ表示プレート内容シール（２）文字を変えるものとする。
本考案は、以上のような建築設備管理の一つとしまして、提供致します。
【図面の簡単な説明】
【０００７】
【図１】郵便受けポストカバーの斜視図
【図２】郵便受けポストカバーの正面図
【図３】図２の郵便受けポストカバーの平面図
【図４】図２の郵便受けポストカバーの背面図
【図５】図２の郵便受けポストカバーの底面図
【図６】図２の郵便受けポストカバーの左側面図
【図７】図２の郵便受けポストカバーの右側面図
【図８】郵便受けポストカバー挟み込固定金具の右側面図
【図９】図２の郵便受けポストカバーを取り付け面図
【図１０】図８の郵便受けポストカバーを取り付け面図
【符号の説明】
【０００８】（１）  表示プレート
（２）  表示プレート内容シール
（３）  投入口プレート固定接続金具
（３ａ）投入口プレート固定接続金具定位置
（４）  接続金具止めビス
（５）  投入口プレート固定金具
（６）  投入口プレート固定調整ビス
（７）  固定金具とプレート接続ビス
（８）  挟み込固定金具
（９）  保護材
（１０）ポスト本体断面図
（１１）ポスト投函口
（１２）投入口プレート
（１３）ドライバー
（１４）取り付け中の手で支えています。
（１５）取り出し口側からの作業
【図１】
0003178299.tif 000003
【図２】
0003178299.tif 000004
【図３】
0003178299.tif 000005
【図４】
0003178299.tif 000006
【図５】
0003178299.tif 000007
【図６】
0003178299.tif 000008
【図７】
0003178299.tif 000009
【図８】
0003178299.tif 000010
【図９】
0003178299.tif 000011
【図１０】
0003178299.tif 000012
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
郵便受けポスト（１０）の内側、投入口プレート固定金具（５）を外側、投入口プレート固定接続金具（３ａ）に固定金具とプレート接続ビス（７）で接続し、投入口プレート固定調整ビス（６）で固定する特長の郵便受けポストカバー、
【請求項２】
郵便受けポスト（１０）の内側、投入口プレート挟込固定金具（８）を外側、投入口プレート固定接続金具（３ａ）に固定金具とプレート接続ビス（７）で接続し、挟込固定する特長の郵便受けポストカバー、
【請求項３】
郵便受けポストカバーの主旨の内容を表示プレート（１）に表示プレート内容シール（２）を設けた特長の郵便受けポストカバー
【手続補正２】
【補正対象書類名】明細書
【補正対象項目名】０００６
【補正方法】変更
【補正の内容】
【０００６】  以下、本考案の実態を説明する。
（イ）郵便受けポスト（１０）を一時的、長期的に使用出来ないように投函口（１１）の投入口プレート（１２）に、投入口固定金具（５）を挿入、表示プレート（１）と連結固定、投函出来ない構造にする。
（ロ）投函出来ない構造とするには、大きな要素として、１機種のポストカバーだけで、対応するのに、各郵便受けポスト（１０）には建物の関係と製品別に横型、縦型設置、投函方式には、前入後出タイプ、前入前出タイプと投函口（１１）の幅や厚さにそれぞれ大きな相違があります。
１機種で、取り付け対応には、投入口プレート固定金具（５）と投入口プレート挟み込固定金具（８）の役割が大きく、投函口（１１）の厚さには、それぞれの固定金具（５）、（８）に投入口プレート接続金具（３ａ）を投函口（１１）に合わせ回転、投入口プレート固定接続金具定位置（３）に調整、狭いところでも、挿入出来るので、上記の大きな相違構造に対する取り付けが容易に出来る。
（ハ）入居、入所前に表示プレート（１）、は容易に、外部からは取り外しが出来ないことと、入居、入所時には、管理者により取り外し、即使用出来る構造にする。
（ニ）建築設備、美観を重視、他の郵便受けポスト（１０）と違和感もなく、材質を長期的に繰り返し使用出来るように、変色しない構造にする。
（ホ）転居、移転したことを、表示プレート文字内容シール（２）で表示する構造にする。
本考案は以上の構成よりなる。
本考案を使用する場合は、
（イ）使用されていない郵便受けポスト（１０）を一時的、長期的使用しない間、郵便物、チラシ等が投函出来ないように、（図９）使用例の前入後出の投函口（１１）、の構造の郵便受けポスト（１０）の使用方法は、後出（１５）側から、投入口プレート固定金具（５）を手（１４）でささえ、投入口プレート（１２）に挿入、このとき投入口プレート（１２）の板厚に投入口プレート固定調整ネジ（６）を予め合わせておき、投入口プレート接続金具（３ａ）も投函口（１１）の方向に合わせ回転して調整しておき、仮固定できたら、投入口プレート接続金具定位置（３）に戻し、投函口（１１）側に回り、表示プレート（１）を接続金具止めビス（４）をドライバー（１３）により固定する。
（ロ）投函口（１１）側からも同様の取り付け使用は同じく出来ます。
（ハ）（図１０）の投入口プレート挟み込固定金具（８）の取り付けは、投函口（１１）側から取り付け例を示しております。
（ニ）建築設備管理者が入居、入所や転居、移転の時にポストカバー、の取り外し、取り付けを繰り返し使用するように、長期に耐える材質とし、用途に合わせ表示プレート内容シール（２）文字を変えるものとする。
本考案は、以上のような建築設備管理の一つとしまして、提供致します。
【手続補正３】
【補正対象書類名】明細書
【補正対象項目名】０００８
【補正方法】変更
【補正の内容】
【０００８】（１）  表示プレート
（２）  表示プレート内容シール
（３ａ）投入口プレート固定接続金具
（３）  投入口プレート固定接続金具定位置
（４）  接続金具止めビス
（５）  投入口プレート固定金具
（６）  投入口プレート固定調整ビス
（７）  固定金具とプレート接続ビス
（８）  投入口プレート挟み込固定金具
（９）  保護材
（１０）ポスト本体断面図
（１１）ポスト投函口
（１２）投入口プレート
（１３）ドライバー
（１４）取り付け中の手で支えています。
（１５）取り出し口側からの作業
【手続補正４】
【補正対象書類名】図面
【補正対象項目名】図９
【補正方法】変更
【補正の内容】
【図９】
0003178299.tif 000013
【手続補正５】
【補正対象書類名】図面
【補正対象項目名】図１０
【補正方法】変更
【補正の内容】
【図１０】
0003178299.tif 000014
【手続補正書】
【提出日】平成24年6月22日(2012.6.22)
【手続補正１】
【補正対象書類名】実用新案登録請求の範囲
【補正対象項目名】全文
【補正方法】変更
【補正の内容】
【実用新案登録請求の範囲】
【請求項１】
郵便受けポスト（１０）の内側に取り付ける投入口プレート固定金具（５）と、郵便受けポスト（１０）の外側に取り付ける投入口プレート固定接続金具（３）からなり、投入口プレート固定金具（５）と投入口プレート固定接続金具（３）とをプレート接続ビス（７）で接続し、さらに、投入口プレート固定接続金具（３）に接続されたプレート接続ビス（７）と、投入口プレート固定金具（５）に接続された投入口プレート固定調整ビス（６）とにより、投入口プレート（１２）を固定することを特徴とする郵便受けポストカバー。
【請求項２】
郵便受けポスト（１０）の内側で投入口プレート（１２）を挟み込む投入口プレート挟込固定金具（８）と、便受けポスト（１０）の外側に取り付ける投入ロプレート固定接続金具（３）からなり、投入口プレート挟込固定金具（８）と投入口プレート固定接続金具（３）とをプレート接続ビス（７）で接続したことを特徴とする郵便受けポストカバー。
【請求項３】
投入口プレート固定接続金具（３）は、さらに、郵便受けポストカバーの主旨の内容を表示した表示プレート内容シール（２）が貼られた表示プレート（１）を備えたことを特徴とする、請求項１または２に記載の郵便受けポストカバー。